(57)【要約】【課題】マルチチャネルのオーディオ出力が可能なオーディオ出力装置及びそれを適用したディスプレイ装置を改善すること。【解決手段】  本発明に係るディスプレイ装置は、映像データをディスプレイするディスプレイ部と、低音帯域及び中高音帯域のオーディオ信号を出力する複数の一体型スピーカとを含み、複数の一体型スピーカのそれぞれは、低音帯域のオーディオ信号を出力するウーファスピーカと、ウーファスピーカに隣接して中高音帯域のオーディオ信号を出力する少なくとも１つの前面スピーカとを含む。それにより、本発明は、単一のスピーカを介してマルチチャネルのオーディオ信号を出力することにより、ユーザの聴取位置及びディスプレイ装置と後壁の間の距離によらず低域損失のない高音質の音響を提供することができる。【選択図】  図６
2018170792.tif 000002
【特許請求の範囲】
【請求項１】
ディスプレイ装置であって、当該ディスプレイ装置は、
ディスプレイと、
該ディスプレイの下部領域に配置され、且つオーディオ信号を出力する第１の一体型スピーカ及び第２の一体型スピーカと、を有しており、
前記第１の一体型スピーカ及び前記第２の一体型スピーカのそれぞれは、
第１のスピーカ領域と、第２のスピーカ領域と、を含んでおり、
前記第１のスピーカ領域は、
前記オーディオ信号の中音帯域を出力する第１のスピーカと、
前記オーディオ信号の高音帯域を出力する第２のスピーカと、を含み、
前記第２のスピーカ領域は、
前記オーディオ信号の低音帯域を出力する第３のスピーカを含み、
前記第３のスピーカは、前記第１のスピーカ領域の上部領域に配置され、
前記第１のスピーカ領域は、密閉型エンクロージャ内に形成され、
前記第２のスピーカ領域は、帯域通過型エンクロージャ内に形成される、
ディスプレイ装置。
【請求項２】
前記第２のスピーカ領域は、
前記第３のスピーカの下の領域において前記第１のスピーカ領域の側方に配置され、且つ前記第３のスピーカから出力される前記オーディオ信号の低音帯域を増幅するダクトと、
第３のスピーカが配置される後方チャンバと、
前記後方チャンバに接続され、且つ前記ダクトが配置される前方チャンバと、を含む、請求項１に記載のディスプレイ装置。
【請求項３】
前記第１のスピーカは、中音帯域のスピーカであり、前記第２のスピーカは、前記第１のスピーカと並んで配置されたツイータである、請求項１に記載のディスプレイ装置。
【請求項４】
前記第１の一体型スピーカは、当該ディスプレイ装置の左下部に配置され、前記第２の一体型スピーカは、当該ディスプレイ装置の右下部に配置される、請求項１に記載のディスプレイ装置。
【請求項５】
前記第１の一体型スピーカ及び前記第２の一体型スピーカは、当該ディスプレイ装置の下方向に前記オーディオ信号を出力する、請求項１に記載のディスプレイ装置。
【発明の詳細な説明】
【技術分野】
【０００１】
本発明は、オーディオ出力装置及びそれを適用したディスプレイ装置に関し、より詳細には、マルチチャネルのオーディオ出力が可能なオーディオ出力装置及びそれを適用したディスプレイ装置に関する。
【背景技術】
【０００２】
近代のデジタルテレビのようなディスプレイ装置は、薄型ディスプレイパネル技術の発展に伴い、ディスプレイ装置を構成するハウジングが次第にスリム化している。このように、ディスプレイ装置がスリム化するにつれ、ディスプレイ装置を構成する様々な構成も、スリム化したディスプレイ装置に適するように開発されている。特に、オーディオを出力するスピーカの場合、ディスプレイ装置がスリム化するにつれ、ディスプレイ装置の前面に出力するための内部の空間が狭くなったため、多様なやり方が適用されている。
【０００３】
詳細には、最近のディスプレイ装置は、下方放射及び後方放射方式でディスプレイ装置内に取り付けられたスピーカを介してオーディオを出力する方法が用いられている。具体的に、ディスプレイ装置内には、低音帯域のオーディオを出力するウーファスピーカがディスプレイ装置の背面に形成され、レフトチャネルとライトチャネルとに対応する中高音帯域のオーディオを出力するそれぞれの前面スピーカは、ディスプレイ装置の下部領域の左右にそれぞれ形成される。よって、ウーファスピーカを介して出力されたオーディオ信号はディスプレイ装置の背面を通じて放射され、放射されたオーディオ信号はディスプレイ装置と隣接する後壁及び側壁によって回折されてディスプレイ装置の前面に伝達される。そして、それぞれの前面スピーカを介して出力されるオーディオ信号はディスプレイ装置の下部面を介して放射され、放射されたオーディオ信号はディスプレイ装置と隣接する下部面によって回折及び反射されてディスプレイ装置の前面に伝達される。
【０００４】
よって、ディスプレイ装置の前面に位置するユーザは、ウーファスピーカ及び前面スピーカを介して出力されたオーディオを聴くことができる。
【０００５】
しかし、このような従来のオーディオ出力方式は、次のような問題がある。
【０００６】
まず、ウーファスピーカ及び前面スピーカは、オーディオ信号を出力する出力方向が相互異なるため、ウーファスピーカから出力されたオーディオ信号と前面スピーカから出力されたオーディオ信号とがディスプレイ装置の前面に伝達されるまでの距離に差が生じかねない。それにより、このような距離差を考慮して設定された位置を外れた領域には低音帯域と中高音帯域上で共通してオーディオ信号が出力されるクロスオーバー帯域の位相変化が生じる。結果、ユーザはクロスオーバー帯域の位相変化の生じる領域に位置する場合、クロスオーバー帯域に該当する区間に対して低音質のオーディオを聴かざるを得ないという不都合があった。
【０００７】
次に、ディスプレイ装置と後壁との間の距離に応じて、ウーファスピーカを介して放射された直接音と後壁によって反射された反射音との位相差が生じる可能性がある。このように、直接音と反射音との位相差が発生する場合、特定帯域に対する相殺及び補強されるべき区間が変化することにより、所望の低音帯域のオーディオ信号を発生できないという問題があった。
【０００８】
最後に、従来のウーファスピーカは、ヘルムホルツ共鳴（Ｈｅｌｍｈｏｌｔｚ  Ｒｅｓｏｎａｎｃｅ）方式が適用された低音反射型スピーカボックス（Ｂａｓｓ  Ｒｅｆｌｅｘ  Ｅｎｃｌｏｓｕｒｅ  ｏｒ  Ｖｅｎｔｅｄ  Ｅｎｃｌｏｓｕｒｅ）を使用して一般的なウーファスピーカに比べて、低音帯域の補強されたオーディオ信号を出力することができる。すなわち、従来のウーファスピーカは、ウーファユニットから発生する前方音とウーファユニットの後から再生される後方音とがヘルムホルツ共鳴によって増幅されたダクト音を合成して低音帯域の補強されたオーディオ信号を出力することができる。しかし、このようなダクト音は、後方放射方式で放射される前方音と違って、ディスプレイ装置を構成する内部の構造物によって減衰した後、ハウジングの隙間から漏れ出るため、前方音と合成される過程で一部が損なわれる。その結果、ダクト音と前方音とが合成された合成音は低域損失が発生したりノイズが発生するという問題があった。
【発明の概要】
【発明が解決しようとする課題】
【０００９】
そこで、本発明は、上記問題に鑑みてなされたものであり、本発明の目的とするところは、従来のディスプレイ装置に適用されたスピーカの短所を補うことにある。
【００１０】
更に、もうひとつの目的は、ディスプレイ装置に適用された単一スピーカを介してマルチチャネルのオーディオを出力することにある。
【課題を解決するための手段】
【００１１】
前記目的を達成するための本発明の一実施形態に係るディスプレイ装置は、映像データをディスプレイするディスプレイ部と、低音帯域及び中高音帯域のオーディオ信号を出力する複数の一体型スピーカとを含み、前記複数の一体型スピーカのそれぞれは、低音帯域のオーディオ信号を出力するウーファスピーカと、前記ウーファスピーカに隣接して中高音帯域のオーディオ信号を出力する少なくとも１つの前面スピーカとを含む。
【００１２】
そして、前記複数の一体型スピーカは、前記ディスプレイ装置の終端領域に位置し、前記ウーファスピーカ及び前記少なくとも１つの前面スピーカから出力されるオーディオ信号は下方に放射されてよい。
【００１３】
なお、前記複数の一体型スピーカのうちの第１一体型スピーカに含まれた第１前面スピーカは、レフトチャネルのオーディオ信号を出力し、前記複数の一体型スピーカのうちの第２一体型スピーカに含まれた第２前面スピーカは、ライトチャネルのオーディオ信号を出力してよい。
【００１４】
そして、前記第１及び第２一体型スピーカのそれぞれは、第１及び第２ウーファスピーカをそれぞれ更に含み、前記第１及び第２ウーファスピーカのそれぞれは、低音帯域の同一のオーディオ信号を出力してよい。
【００１５】
なお、前記第１及び第２ウーファスピーカのそれぞれは、低音帯域のオーディオ信号に対するウーファ音を出力するウーファユニットと、前記ウーファユニットから出力されたウーファ音の音響を共鳴させて前記オーディオ信号の低音帯域を増幅するダクトとを含み、前記ウーファユニット及び前記ダクトは、帯域通過エンクロージャ（Ｂａｎｄｐａｓｓ  Ｅｎｃｌｏｓｕｒｅ）方式またはベント型エンクロージャ（Ｖｅｎｔｅｄ  Ｅｎｃｌｏｓｕｒｅ）方式で形成されてよい。
【００１６】
そして、前記第１及び第２ウーファスピーカのそれぞれは、低音帯域のオーディオ信号に対するウーファ音を出力するウーファユニットと、前記ウーファユニットから出力されたウーファ音の振動を共振させて前記オーディオ信号の低音帯域を増幅する振動板とを含み、前記ウーファユニット及び前記振動板は、帯域通過型受動放射器エンクロージャ（Ｐａｓｓｉｖｅ  Ｒａｄｉａｔｏｒ  Ｅｎｃｌｏｓｕｒｅ）方式またはベント型受動放射器エンクロージャ（Ｐａｓｓｉｖｅ  Ｒａｄｉａｔｏｒ  Ｅｎｃｌｏｓｕｒｅ）方式で形成されてよい。
【００１７】
なお、前記第１及び第２前面スピーカのそれぞれは、密閉型のエンクロージャ（Ｓｅａｌｅｄ  Ｅｎｃｌｏｓｕｒｅ）方式で形成されてよい。
【００１８】
そして、前記第１及び第２前面スピーカのそれぞれは、出力される中高音帯域のオーディオ信号の音響を共鳴させ、前記オーディオ信号の低音帯域を増幅するベント型エンクロージャ方式で形成されてよい。
【００１９】
なお、前記第１及び第２前面スピーカのそれぞれは、出力される中高音帯域のオーディオ信号の振動を共振させ、前記オーディオ信号の低音帯域を増幅する受動放射器エンクロージャ（Ｐａｓｓｉｖｅ  Ｒａｄｉａｔｏｒ  Ｅｎｃｌｏｓｕｒｅ）方式で形成されてよい。
【００２０】
そして、前記第１及び第２一体型スピーカのそれぞれは、前記第１及び第２前面スピーカのそれぞれに隣接して前記第１及び第２前面スピーカを介して出力されるオーディオ信号の出力方向と同一の出力方向に高音帯域のオーディオ信号を出力するツイータ（Ｔｗｅｅｔｅｒ）を更に含んでよい。
【００２１】
一方、前記目的を達成するための本発明の別の実施形態に係るディスプレイ装置は、映像データをディスプレイするディスプレイ部と、低音帯域及び中高音帯域のオーディオ信号を出力する一体型スピーカとを含み、前記一体型スピーカは、低音帯域のオーディオ信号を出力するウーファスピーカと、前記ウーファスピーカに隣接して中高音帯域のオーディオ信号を出力する少なくとも１つの前面スピーカとを含む。
【００２２】
そして、前記一体型スピーカは、前記ディスプレイ装置の終端領域に位置し、前記ウーファスピーカ及び前記少なくとも１つの前面スピーカから出力されるオーディオ信号は下方に放射されてよい。
【００２３】
なお、前記一体型スピーカは、レフトチャネルのオーディオ信号を出力する第１前面スピーカと、ライトチャネルのオーディオ信号を出力する第２前面スピーカとを含み、前記ウーファスピーカは、前記第１及び第２前面スピーカの間に位置してよい。
【００２４】
そして、前記ウーファスピーカは、低音帯域のオーディオ信号に対するウーファ音を出力するウーファユニットと、前記ウーファユニットから出力されたウーファ音の音響を共鳴させて前記オーディオ信号の低音帯域を増幅するダクトとを含み、前記ウーファユニット及び前記ダクトは、帯域通過エンクロージャ（Ｂａｎｄｐａｓｓ  Ｅｎｃｌｏｓｕｒｅ）方式またはベント型エンクロージャ（Ｖｅｎｔｅｄ  Ｅｎｃｌｏｓｕｒｅ）方式で形成されてよい。
【００２５】
なお、前記ウーファスピーカは、低音帯域のオーディオ信号に対するウーファ音を出力するウーファユニットと、前記ウーファユニットから出力されたウーファ音の振動を共振させて前記オーディオ信号の低音帯域を増幅する振動板とを含み、前記ウーファユニット及び前記振動板は、帯域通過型受動放射器エンクロージャ（Ｐａｓｓｉｖｅ  Ｒａｄｉａｔｏｒ  Ｅｎｃｌｏｓｕｒｅ）方式またはベント型受動放射器エンクロージャ（Ｐａｓｓｉｖｅ  Ｒａｄｉａｔｏｒ  Ｅｎｃｌｏｓｕｒｅ）方式で形成されてよい。
【００２６】
そして、前記第１及び第２前面スピーカのそれぞれは、密閉型のエンクロージャ（Ｓｅａｌｅｄ  Ｅｎｃｌｏｓｕｒｅ）方式で形成されてよい。
【００２７】
なお、前記第１及び第２前面スピーカのそれぞれは、出力される中高音帯域のオーディオ信号の音響を共鳴させ、前記オーディオ信号の低音帯域を増幅するベント型エンクロージャ方式で形成されてよい。
【００２８】
そして、前記第１及び第２前面スピーカのそれぞれは、出力される中高音帯域のオーディオ信号の振動を共振させ、前記オーディオ信号の低音帯域を増幅する受動放射器エンクロージャ（Ｐａｓｓｉｖｅ  Ｒａｄｉａｔｏｒ  Ｅｎｃｌｏｓｕｒｅ）方式で形成されてよい。
【００２９】
なお、前記一体型スピーカは、前記第１及び第２前面スピーカのそれぞれに隣接して前記第１及び第２前面スピーカを介して出力されるオーディオ信号の出力方向と同一の出力方向に高音帯域のオーディオ信号を出力するツイータ（Ｔｗｅｅｔｅｒ）を更に含んでよい。
【００３０】
一方、前記目的を達成するための本発明の更に別の実施形態に係る低音帯域及び中高音帯域のオーディオ信号を出力するオーディオ出力装置は、低音帯域のオーディオ信号を出力するウーファスピーカと、前記ウーファスピーカに隣接して中高音帯域のオーディオ信号を出力する少なくとも１つの前面スピーカとを含む。
【発明の効果】
【００３１】
以上説明したように、本発明によれば、ディスプレイ装置に適用されたスピーカ  は、単一で構成されてマルチチャネルのオーディオ信号を出力することができる。更に、本発明は、単一のスピーカを介してマルチチャネルのオーディオ信号を出力することにより、ユーザの聴取位置及びディスプレイ装置と後壁の間の距離によらず低域損失のない高音質の音響を提供することができる。
【図面の簡単な説明】
【００３２】
【図１】一般的なディスプレイ装置に搭載されたスピーカを介してオーディオ信号を出力する第１例示図である。
【図２】一般的なディスプレイ装置に搭載されたスピーカを介してオーディオ信号を出力する第２例示図である。
【図３】本発明の一実施形態に係るディスプレイ装置のブロック図である。
【図４】本発明の一実施形態に係るディスプレイ装置で複数の一体型スピーカを介して低音帯域及び中高音帯域のオーディオ信号が放射されることを示す例示図である。
【図５】本発明の一実施形態に係るディスプレイ装置で一体型スピーカを介して出力されるオーディオ信号の出力方向を示す例示図である。
【図６】本発明の一実施形態に係る一体型スピーカの投影図である。
【図７】本発明の一実施形態に係る一体型スピーカで帯域通過エンクロージャ方式が適用されたウーファスピーカの第１例示図である。
【図８】本発明の別の実施形態に係る一体型スピーカで帯域通過型受動放射器エンクロージャ方式が適用されたウーファスピーカの第２例示図である。
【図９】本発明の一実施形態に係る一体型スピーカでベント型エンクロージャ方式が適用されたウーファスピーカの第１例示図である。
【図１０】本発明の別の実施形態に係る一体型スピーカでベント型受動放射器エンクロージャ方式が適用されたウーファスピーカの第２例示図である。
【図１１】本発明の一実施形態に係る一体型スピーカで密閉型エンクロージャ方式が適用された前面スピーカの例示図である。
【図１２】本発明の一実施形態に係る一体型スピーカからベント型エンクロージャ方式が適用されて低音帯域の拡大された中高音帯域のオーディオ信号を出力する前面スピーカの第１例示図である。
【図１３】本発明の別の実施形態に係る一体型スピーカからベント型受動放射器エンクロージャ方式が適用されて低音帯域の拡大された中高音帯域のオーディオ信号を出力する前面スピーカの第２例示図である。
【図１４】本発明の一実施形態に係る一体型スピーカから高音帯域の拡大された中高音帯域のオーディオ信号を出力する前面スピーカの例示図である。
【図１５】本発明の一実施形態に係る一体型スピーカから低音ないし高音帯域のオーディオ信号を出力する前面スピーカの第１例示図である。
【図１６】本発明の別の実施形態に係る一体型スピーカからベント型受動放射器エンクロージャ方式が適用されて低音ないし高音帯域のオーディオ信号を出力する前面スピーカの第２例示図である。
【図１７】本発明の一実施形態に係るディスプレイ装置でレフトチャネル及びライトチャネルに対応する中低音帯域及び低音帯域のオーディオ信号を出力する一体型スピーカの例示図である。
【図１８】本発明の別の実施形態に係るディスプレイ装置で中低音帯域及び低音帯域のオーディオ信号を出力する一体型スピーカの例示図である。
【発明を実施するための形態】
【００３３】
以下に添付図面を参照しながら、本発明の好適な実施形態について詳細に説明する。
【００３４】
本発明に対する詳細な説明をするにあたり、従来のディスプレイ装置内に搭載されたスピーカを介してオーディオ信号を出力する動作について概略に説明する。
【００３５】
図１は、一般的なディスプレイ装置に搭載されたスピーカを介してオーディオ信号を出力する第１例示図である。
【００３６】
図１に示すように、ディスプレイ装置１０は、ウーファスピーカ２０及び前面スピーカ３０ａ、３０ｂを含む。具体的に、ウーファスピーカ２０は、ディスプレイ装置１０の背面の一側面に搭載されて外部から印加された低音帯域のオーディオ信号を出力するスピーカである。このようなウーファスピーカ２０は、ウーファユニット２１を含んでよく、ウーファユニット２１は外部から印加された低音帯域のオーディオ信号に関連して音響振動を発生させる。よって、ウーファスピーカ２０は、ウーファユニット２１によって発生した音響振動に対する前方音を後方放射（Ｂａｃｋ−Ｆｉｒｉｎｇ）方式で放射させることで、外部から印加された低音帯域のオーディオ信号を出力する。それにより、ウーファスピーカ２０を介して出力される低音帯域のオーディオ信号はディスプレイ装置１０に隣接する後壁面或いは後壁面及び側壁面によって回折されてディスプレイ装置１０の前面に伝達される。
【００３７】
そして、前面スピーカ３０ａ、３０ｂは、ディスプレイ装置１０の下部面の両側面にそれぞれ搭載されて外部から印加された中高音帯域のオーディオ信号を出力するスピーカである。具体的に、前面スピーカ（以下、第１前面スピーカという）３０ａは、ディスプレイ装置１０の下部面の左側領域に搭載されて中高音帯域のレフトオーディオ信号を出力し、もう一方のスピーカ（以下、第２前面スピーカという）３０ｂは、ディスプレイ装置１０の下部面の右側領域に搭載されて中高音帯域のライトオーディオ信号を出力する。このように、ディスプレイ装置１０の下部面左右に搭載される第１及び第２前面スピーカ３０ａ、３０ｂは、下方放射（Ｄｏｗｎ−Ｆｉｒｉｎｇ）方式で中高音帯域のレフトオーディオ信号及びライトオーディオ信号を出力する。それにより、第１及び第２前面スピーカ３０ａ、３０ｂを介して出力される中高音帯域のレフト及びライトオーディオ信号のそれぞれはディスプレイ装置１０に隣接する下部面によって回折されてディスプレイ装置１０の前面に伝達される。
【００３８】
このように、ディスプレイ装置１０は、ウーファスピーカ２０及び第１、第２前面スピーカ３０ａ、３０ｂを介して低音帯域及び中高音帯域のオーディオ信号を出力することで、ユーザは高音質のオーディオ音響を楽しむことができる。しかし、このようなディスプレイ装置１０のウーファスピーカ２０及び第１、第２スピーカ３０ａ、３０ｂを介して出力される低音帯域及び中高音帯域のオーディオ信号はユーザの聴取位置に応じて特定帯域における位相差が発生して当該特定帯域に対するオーディオ音質が低下するという問題があった。
【００３９】
具体的に、上述のように、ウーファスピーカ２０はディスプレイ装置１０の背面の一側面に搭載されて後方放射でオーディオ信号を出力し、第１及び第２前面スピーカ３０ａ、３０ｂはディスプレイ装置１０の下部面左右領域にそれぞれ搭載されて下方放射でオーディオ信号を出力する。よって、ウーファスピーカ２０及び第１及び第２前面スピーカ３０ａ、３０ｂから出力されたそれぞれのオーディオ信号がディスプレイ装置１０の前面に伝達されるまでの距離に差が生じる可能性があり、このような距離差によって特定帯域の周波数応答がユーザの聴取位置に応じて異なってよい。ここで、特定帯域は、低音帯域と中高音帯域上で共通してオーディオ信号が出力される区間として、クロスオーバ（Ｘ−ｏｖｅｒ）帯域と呼んでよい。このようなクロスオーバ帯域は、両端の位相差が０°である場合、補償干渉によって当該帯域が埋まり、両端の位相差が１８０°である場合、相殺干渉によって当該帯域に深い溝（Ｄｉｐ）が発生する。よって、一般的なディスプレイ装置１０は、画面の中央を基準にウーファスピーカ２０と第１及び第２前面スピーカ３０ａ、３０ｂ間の帯域中クロスオーバの生じる区間の位相差が０°になるようにＰＥＱ（Ｐａｒａｍｅｔｒｉｃ  Ｅｑｕａｌｉｚｅｒ）チューニングされている。しかし、このような方式でチューニングされる場合、ユーザの聴取位置がディスプレイ装置１０の左側或いは右側である場合、クロスオーバ帯域の位相変化が生じることで、ディスプレイ装置１０の左側或いは右側にあるユーザはクロスオーバ帯域に該当する区間に対して低音質のオーディオを聴取せざるを得ないという不都合が生じる。
【００４０】
なお、ディスプレイ装置１０のウーファスピーカ２０を介して出力される低音帯域のオーディオ信号はウーファスピーカ２０を介して放射された直接音と後壁によって反射された反射音とが合成されて回折を通じてディスプレイ装置１０の前面に伝達される。このとき、ディスプレイ装置１０の後壁間の距離に応じて、ウーファスピーカ２０を介して放射された直接音と後壁によって反射された反射音の位相差が生じかねない。直接音と反射音とに位相差が生じる場合、特定帯域に対する相殺及び補強されるべき区間が変化することで、所望の低音帯域のオーディオ信号を発生することができないという問題があった。
【００４１】
図２は、一般的なディスプレイ装置に搭載されたスピーカを介してオーディオ信号を出力する第２例示図である。
【００４２】
図２に示すように、ディスプレイ装置１０はウーファスピーカ２０及び第１、第２前面スピーカ３０ａ、３０ｂを含む。上述のように、第１前面スピーカ３０ａはディスプレイ装置１０の下部面の左側領域に搭載されて中高音帯域のレフトオーディオ信号を出力し、第２前面スピーカ３０ｂはディスプレイ装置１０の下部面の右側領域に搭載されて中高音帯域のライトオーディオ信号を出力する。このように、ディスプレイ装置１０の下部面左右に搭載される第１及び第２前面スピーカ３０ａ、３０ｂは下方放射方式で中高音帯域のレフトオーディオ信号及びライトオーディオ信号を出力する。それにより、第１及び第２前面スピーカ３０ａ、３０ｂを介して出力される中高音帯域のレフト及びライトオーディオ信号のそれぞれはディスプレイ装置１０に隣接する下部面によって回折されてディスプレイ装置１０の前面に伝達される。
【００４３】
そして、ウーファスピーカ２０はディスプレイ装置１０の背面の一側面に搭載されて外部から印加された低音帯域のオーディオ信号を出力するスピーカである。このとき、ウーファスピーカ２０はヘルムホルツ共鳴（Ｈｅｌｍｈｏｌｔｚ  Ｒｅｓｏｎａｎｃｅ）方式を用いて図１で上述したウーファスピーカ２０に比べて、低音帯域の補強されたオーディオ信号を出力することができ、そのために、ウーファユニット２１及びダクト（Ｄｕｃｔ）１３を含んでよい。ウーファユニット２１は外部から印加された低音帯域のオーディオ信号に対する音響振動を発生させる。そして、ダクト２３は、ウーファユニット２１の後から再生される逆位相の後方音を共鳴周波数以上の帯域で再度１８０°反転させて低音帯域の補強されたダクト音を放射する。
【００４４】
よって、ウーファスピーカ２０は、ウーファユニット２１から発生する音響振動に対する前方音とダクト２３から放射されたダクト音とが合成された合成音を後方放射方式で放射させることで、低音帯域の補強されたオーディオ信号を出力することができる。
【００４５】
一方、ウーファユニット２１から発生した音響振動に対する前方音と合成されるダクト音は別途の経路を通じて前方音と合成されるものではなく、ディスプレイ装置１０を構成するハウジングの隙間の間から漏れ出て前方音と合成される。よって、ダクト音が前方音と合成される過程で一部損失されることで、ウーファスピーカ２０を介して出力されるオーディオ信号に対する低域損失及びノイズが発生するという問題があった。
【００４６】
これまで、一般的なディスプレイ装置１０からディスプレイ装置１０に搭載されたスピーカを介して低音及び中高音帯域のオーディオ信号を出力する動作について説明した。
【００４７】
以下では、本発明に係る低音及び中高音帯域のオーディオを出力するオーディオ出力装置を含むディスプレイ装置１００について詳細に説明する。
【００４８】
図３は、本発明の一実施形態に係るディスプレイ装置のブロック図である。
【００４９】
図３に示すように、ディスプレイ装置１００は、スマートテレビ、デジタルテレビ、スマートフォンのように映像及びオーディオ出力が可能な再生装置であってよい。このようなディスプレイ装置１００は、入力部１１０と、通信部１２０と、信号処理部１３０と、ディスプレイ部１５０と、一体型スピーカ１６０及び制御部１７０を含む。
【００５０】
入力部１１０は、ディスプレイ装置１００に備えられた操作部（図示せず）或いはタッチパネル（図示せず）のような入力手段から入力されるユーザ命令を受信して制御部１７０に伝送する。
【００５１】
通信部１２０は、映像データ及びオーディオデータを含むコンテンツを提供するコンテンツサーバ（図示せず）と通信を行ってユーザの要請したコンテンツを受信したり、または、ディスプレイ装置１００の動作を制御する遠隔制御装置（図示せず）と通信を行ってユーザ命令を受信することができる。
【００５２】
このような通信部１２０は、近距離無線通信モジュール（図示せず）、無線通信モジュール（図示せず）等のような多様な通信モジュールを含んでよい。ここで、近距離無線通信モジュールとは、ブルートゥース（登録商標）、Ｚｉｇｂｅｅ（登録商標）方式等のような近距離無線通信方式によって、近距離に位置した外部機器と無線通信を行うためのモジュールである。なお、無線通信モジュールとは、ＷｉＦｉ、ＩＥＥＥ等のような無線通信プロトコールによって、外部ネットワークに接続されて通信を行うモジュールである。その他に、無線通信モジュールは、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な移動通信規格に応じて移動通信網に接続して通信を行う移動通信モジュールを更に含んでよい。
【００５３】
一方、上述の実施形態においては、通信部１２０が無線通信方式で外部機器と通信することについて説明したが、それは一実施形態に過ぎず、有線通信方式を通じて外部機器と通信を行うことができる。
【００５４】
信号処理部１３０は、通信部１２０を介して外部から受信されたコンテンツのオーディオおよび映像データを後述するディスプレイ部１５０及び一体型スピーカ１６０を介して出力可能な形態で信号処理する。特に、コンテンツに含まれたオーディオデータに対する信号処理を行う場合、信号処理部１３０は当該オーディオデータを一体型スピーカ１６０の類型に対応するように信号処理することができる。例えば、一体型スピーカ１６０が低音帯域、中高音帯域及び高音帯域のオーディオを出力するマルチチャネルのオーディオを出力する場合、信号処理部１３０は当該オーディオデータを各チャネルに対応するオーディオ信号にフィルタリングして一体型スピーカ１６０に出力することができる。
【００５５】
ディスプレイ部１５０は、コンテンツに含まれた映像及びオーディオデータのうち、信号処理部１３０によって信号処理された映像データ、制御動作を行うための各種ＵＩメニューを画面上にディスプレイする。このようなディスプレイ部１５０は、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔ  Ｅｍｉｔｔｉｎｇ  Ｄｉｓｐｌａｙ：ＯＬＥＤ）またはプラズマ表示パネル（Ｐｌａｓｍａ  Ｄｉｓｐｌａｙ  Ｐａｎｅｌ：ＰＤＰ）等で実現されてよい。特に、ディスプレイ部１５０は、ユーザのタッチ命令を受信するタッチパッドで実現される場合、タッチパッドである入力部１１０とともに相互レイヤ構造をなすタッチスクリーンで実現されてよい。
【００５６】
一体型スピーカ１６０は、コンテンツに含まれた映像及びオーディオデータのうち、信号処理部１３０によって信号処理された低音帯域及び中高音帯域のオーディオ信号を出力する。このように、低音帯域及び中高音帯域のオーディオ信号を出力するために、一体型スピーカ１６０はウーファスピーカ１６１及び少なくとも１つの前面スピーカ１６３を含んでよい。ウーファスピーカ１６１は、信号処理部１３０を介して信号処理された低音帯域のオーディオ信号を出力する。少なくとも１つの前面スピーカ１６３はウーファスピーカ１６１に隣接して信号処理部１３０を介して信号処理された中高音帯域のオーディオ信号を出力することができる。実施形態によって、少なくとも１つの前面スピーカ１６３はウーファスピーカ１６１に隣接し、ウーファスピーカ１６１のオーディオ出力方向と同一の出力方向に信号処理部１３０を介して信号処理された中高音帯域のオーディオ信号を出力することができる。よって、一体型スピーカ１６０は、ウーファスピーカ１６１及びウーファスピーカ１６１に隣接する少なくとも１つの前面スピーカ１６２を介して低域帯域及び中高音帯域のオーディオ信号を同一の出力方向に出力することができる。
【００５７】
一方、複数の一体型スピーカ１６０は、ディスプレイ装置の終端領域に位置する。よって、複数の一体型スピーカ１６０のそれぞれに含まれたウーファスピーカ１６１及び少なくとも１つの前面スピーカ１６３から出力される低音帯域及び中高音帯域のオーディオ信号は下方に放射され、下方に放射された低音帯域及び中高音帯域のオーディオ信号はディスプレイ装置１００に隣接した下部面によって回折されてディスプレイ装置１００の前面に伝達されてよい。
【００５８】
図４は、本発明の一実施形態に係るディスプレイ装置で複数の一体型スピーカを介して低音帯域及び中高音帯域のオーディオ信号が放射されることを示す例示図である。
【００５９】
図４に示すように、ディスプレイ装置１００の終端領域には、複数の一体型スピーカ１６０が搭載されてよい。具体的に、複数の一体型スピーカ１６０のうちの第１一体型スピーカ１６０ａはディスプレイ装置１００の終端領域中の左側領域に搭載され、第２一体型スピーカ１６０ｂはディスプレイ装置２００の終端領域中の右側領域に搭載されてよい。よって、ディスプレイ装置１００の下部左側領域に搭載された第１一体型スピーカ１６０ａ、１６０ｂは、第１ウーファスピーカ１６１ａ及び第１前面スピーカ１６３ａを含み、ディスプレイ装置１００の下部右側領域に搭載された第２一体型スピーカ１６０ｂは第２ウーファスピーカ１６１ｂ及び第２前面スピーカ１６３ｂを含んでよい。
【００６０】
ここで、第１及び第２ウーファスピーカ１６１ａ、１６１ｂは、低音帯域の同一のオーディオ信号を下方に放射させるスピーカであり、第１及び第２前面スピーカ１６３ａ、１６３ｂは中高音帯域のオーディオ信号を下方に放射させるスピーカである。ここで、第１前面スピーカ１６３ａを介して放射される中高音帯域のオーディオ信号はレフトチャネルのオーディオ信号であり、第２前面スピーカ１６３ｂを介して放射される中高音帯域のオーディオ信号はライトチャネルのオーディオ信号であってよい。そして、第１ウーファスピーカ１６１ａを介して低音帯域のオーディオ信号を出力するオーディオ出力端と第１前面スピーカ１６３ａを介してレフトチャネルに対応する中高音帯域のオーディオ信号を出力するオーディオ出力端とは、最大限に密着して同一の方向にそれぞれのオーディオ信号を出力する。同様に、第２ウーファスピーカ１６１ｂを介して低音帯域のオーディオ信号を出力するオーディオ出力端と第２前面スピーカ１６３ｂを介してライトチャネルに対応する中高音帯域のオーディオ信号を出力するオーディオ出力端とは、最大限に密着して同一の方向にそれぞれのオーディオ信号を出力する。
【００６１】
よって、第１ウーファスピーカ１６１ａを介して下方に放射された低音帯域のオーディオ信号及び第１一体型スピーカ１６０ａを介して下方に放射されたレフトチャネルに対応する中高音帯域のオーディオ信号はディスプレイ装置１００に隣接した下部面によって回折されてディスプレイ装置１００の前面に伝達されてよい。同様に、第２ウーファスピーカ１６１ｂを介して下方に放射された低音帯域のオーディオ信号及び第２一体型スピーカ１６０ｂを介して下方に放射されたライトチャネルに対応する中高音帯域のオーディオ信号はディスプレイ装置１００に隣接した下部面によって回折されてディスプレイ装置１００の前面に伝達されてよい。
【００６２】
一方、本発明に係る第１及び第２一体型スピーカ１６０ａ、１６０ｂのそれぞれに含まれた第１及び第２前面スピーカ１６３ａ、１６３ｂは複数からなってよい。このように、第１及び第２前面スピーカ１６３ａ、１６３ｂは複数個で構成された場合、複数の第１前面スピーカ１６３ａはレフトチャネルに対応する中高音帯域のオーディオ信号を出力し、複数の第２前面スピーカ１６３ｂはライトチャネルに対応する中高音帯域のオーディオ信号を出力する。このように、第１及び第２前面スピーカ１６３ａ、１６３ｂのそれぞれが複数個で構成された場合、単一で構成されるより、レフト及びライトチャネルそれぞれに対応する中高音帯域のオーディオに対する音量が大きくなる。
【００６３】
図５は、本発明の一実施形態に係るディスプレイ装置で一体型スピーカを介して出力されるオーディオ信号の出力方向を示す例示図である。
【００６４】
図５の（ａ）は、上述の従来のディスプレイ装置１０でウーファスピーカ２０と、第１及び第２前面スピーカ３０ａ、３０ｂを介して出力されたオーディオ信号が外部要素によって回折されてディスプレイ装置１０の前面に伝達されることを示している。そして、図５の（ｂ）は、本発明に係るディスプレイ装置１００で複数の一体型スピーカ１６０ａ、１６０ｂを介して出力された低音帯域及び中高音帯域のオーディオ信号がディスプレイ装置１００の前面に伝達されることを示している。
【００６５】
図５の（ａ）に示すように、従来のディスプレイ装置１０のウーファスピーカ２０は後方放射方式で低音帯域のオーディオ信号を出力し、低音帯域のオーディオ信号はディスプレイ装置１０に隣接した後壁面及び側壁面によって回折されてディスプレイ装置１０の前面に伝達する。そして、従来のディスプレイ装置１０の第１及び第２前面スピーカ３０ａ、３０ｂは下方放射方式でレフトチャネル及びライトチャネルのそれぞれに対応する中高音帯域のオーディオ信号を出力し、それぞれの中高音帯域のオーディオ信号はディスプレイ装置１０に隣接した下部面によって回折されてディスプレイ装置１０の前面に伝達される。
【００６６】
このように、従来のディスプレイ装置１０のウーファスピーカ２０と第１及び第２前面スピーカ３０ａ、３０ｂ間のオーディオ出力のための方式が相互異なることにより、低音帯域のオーディオ信号がディスプレイ装置１０の前面に伝達される距離と中高音帯域のオーディオ信号がディスプレイ装置１０の前面に伝達されるまでの距離に差が生じる。よって、ユーザの聴取位置に応じて低音帯域のオーディオ信号と中高音帯域のオーディオ信号が共通して出力されるクロスオーバ帯域区間に対する位相変化が発生することで、クロスオーバ帯域区間の位相変化が発生する位置にユーザがあった場合、当該ユーザはクロスオーバ帯域区間に対して低音質のオーディオを聴取せざるを得ないという不都合があった。
【００６７】
一方、図５の（ｂ）に示すように、本発明に係るディスプレイ装置１００の第１及び第２一体型スピーカ１６０ａ、１６０ｂを介して下方放射方式で低音帯域及び中高音帯域のオーディオ信号を出力する。具体的に、第１一体型スピーカ１６０ａは、第１ウーファスピーカ１６１ａを介して出力された低音帯域のオーディオ信号と、第１前面スピーカ１６３ａを介して出力されたレフトチャネルに対応する中高音帯域のオーディオ信号を下方放射方式で出力する。同様に、第２一体型スピーカ１６０ｂは、第２ウーファスピーカ１６１ｂを介して出力された低音帯域のオーディオ信号と、第２前面スピーカ１６３ｂを介して出力されたライトチャネルに対応する中高音帯域のオーディオ信号を下方放射方式で出力する。それにより、第１及び第２一体型スピーカ１６０ａ、１６０ｂを介して出力されたそれぞれの低音及び中高音帯域のオーディオ信号はディスプレイ装置１００に隣接した下部面によって回折されてディスプレイ装置１０の前面に伝達される。
【００６８】
このように、本発明に係るディスプレイ装置１００の第１及び第２一体型スピーカ１６０ａ、１６０ｂは同一の下方放射方式で低音帯域及び中高音帯域のオーディオ信号を出力することで、低音帯域及び中高音帯域のオーディオ信号がディスプレイ装置１０の前面に伝達されるまでの距離に差がほとんど生じない。よって、ユーザの聴取位置に応じて、低音帯域のオーディオ信号と中高音帯域のオーディオ信号とが共通して出力されるクロスオーバ帯域区間に対する位相変化が発生する従来の問題点を改善することができる。
【００６９】
以下では、上述の一体型スピーカ１６０についてより詳細に説明する。
【００７０】
図６は、本発明の一実施形態に係る一体型スピーカの投影図である。
【００７１】
上述のように、ディスプレイ装置１００の終端の左側及び右側領域には低音帯域のオーディオ信号及び中高音帯域のオーディオ信号を同一の方向に出力する第１及び第２一体型スピーカ１６０ａ、１６０ｂが搭載される。ディスプレイ装置１００の終端の左側領域に搭載された第１一体型スピーカ１６０ａは、低音帯域のオーディオ信号を出力する第１ウーファスピーカ１６１ａ及び第１ウーファスピーカ１６１ａのオーディオ信号の出力方向と同一の出力方向にレフトチャネルに対する中高音帯域のオーディオ信号を出力する第１前面スピーカ１６３ａを含む。同様に、ディスプレイ装置１００の終端の右側領域に搭載された第２一体型スピーカ１６０ｂは、低音帯域のオーディオ信号を出力する第２ウーファスピーカ１６１ｂ及び第２ウーファスピーカ１６１ｂのオーディオ信号の出力方向と同一の出力方向にライトチャネルに対する中高音帯域のオーディオ信号を出力する第２前面スピーカ１６３ｂを含む。
【００７２】
具体的に、図６に示すように、低音帯域及び中高音帯域のオーディオ信号を出力する第１及び第２一体型スピーカ１６０ａ、１６０ｂのそれぞれは、ウーファチェンバ５００及び前面スピーカチェンバ６００からなる。ウーファチェンバ５００は、第１及び第２ウーファスピーカ１６１ａ、１６１ｂのそれぞれが実行される領域であり、前面スピーカチェンバ６００は第１及び第２前面スピーカ１６３ａ、１６３ｂのそれぞれが実装される領域である。
【００７３】
一方、ウーファチェンバ５００に実装される第１及び第２ウーファスピーカ１６１ａ、１６１ｂのそれぞれはウーファユニット５１１及びダクト５２１を含んでよい。ウーファユニット５１１は低音帯域のオーディオ信号に対するウーファ音を出力し、ダクト５２１はウーファユニット５１１から出力されたウーファ音の音響を共鳴させてオーディオ信号の低音帯域を増幅する。このようなウーファユニット５１１及びダクト５２１は帯域通過エンクロージャ方式またはベント型エンクロージャ方式で形成されてよい。
【００７４】
図６は、ウーファユニット５１１及びダクト５２１を含む第１及び第２ウーファスピーカ１６１ａ、１６１ｂのそれぞれが帯域通過エンクロージャ方式で形成されることを示すものである。この場合、第１及び第２ウーファスピーカ１６１ａ、１６１ｂのそれぞれが実装されるウーファチェンバ５００は、後方チェンバ５１０及び前方チェンバ５２０に区画されてよい。よって、後方チェンバ５１０内には低音帯域のオーディオ信号に対するウーファ音を出力するウーファユニット５１１が形成され、前方チェンバ５２０はウーファユニット５１１から出力されたウーファ音の音響を共鳴させてオーディオ信号の低音帯域を増幅するダクト５２１が形成されてよい。
【００７５】
具体的に、後方チェンバ５１０はウーファユニット５１１のウーファ音が前方チェンバ５２０側に伝達される領域を除く残りの領域が密閉型構造からなり、後方チェンバ５２０はウーファユニット５１１のウーファ音が伝達される領域及びダクト５２１を介して低音帯域が増幅されたウーファ音が放射される領域を除く残りの領域が密閉型構造からなってよい。よって、ウーファユニット５１１を介して出力されたウーファ音は前方チェンバ５２０側に伝達され、ダクト５２１は前方チェンバ５２０内に流入されたウーファ音の音響を共鳴させて外部に放射させることができる。このとき、後方チェンバ５１０に形成されるダクト５２１はディスプレイ装置１００の下部面を向くように設計されることで、ダクト５２１を介して放射されるウーファ音はディスプレイ装置１００の下方に放射されてよい。
【００７６】
このように、本発明に係る第１及び第２ウーファスピーカ１６１ａ、１６１ｂのそれぞれはヘルムホルツ共鳴器でモデリングされた帯域通過エンクロージャ方式でウーファユニット５１１及びダクト５２１を形成することで、ウーファユニット５１１から出力されたウーファ音の中で共鳴周波数に該当する音を増幅させ、それ以上の音を遮断する帯域通過フィルタの役割を果たすことができる。それにより、本発明は、低音帯域のオーディオ信号に対するウーファ音を出力するウーファユニット５１１が形成される領域の体積を減らしつつ、低音帯域を増幅させることができる。更に、本発明は、低音帯域のオーディオ信号に対するウーファ音が低音帯域を増幅させるダクト５２１に直接伝達されることで、従来のウーファ音とダクト音とが合成される過程で発生する低域損失及びノイズの問題を改善することができる。
【００７７】
一方、第１及び第２前面スピーカ１６３ａ、１６３ｂのそれぞれが実装される前面スピーカチェンバ６００は、第１及び第２前面スピーカ１６３ａ、１６３ｂのそれぞれを介して中高音帯域のオーディオ信号が出力されるスピーカユニット６２０−１、６２０−２を除く残りの領域が密閉される密閉型エンクロージャ方式で行われてよい。ここで、第１及び第２前面スピーカ１６３ａ、１６３ｂは、レフトチャネル及びライトチャネルに対応する中高音帯域のオーディオに対する音量の大きさを拡大させるために複数個で構成されてよい。この場合、複数の第１前面スピーカ１６３ａと複数の第２前面スピーカ１６３ｂのそれぞれは、スピーカユニット６２０−１、６２０−２を介してレフトチャネル及びライトチャネルのそれぞれに対応する同一の中高音帯域のオーディオ信号を出力することができる。
【００７８】
このように、スピーカユニット６２０−１、６２０−２を介してレフトチャネル及びライトチャネルのそれぞれに対応する中高音帯域のオーディオ信号を出力する第１及び第２前面スピーカ１６３ａ、１６３ｂはウーファ音の低音帯域を増幅させるダクト５２１に近接するように配置され、ダクト５２１を介して低音帯域が増幅されたウーファ音が放射される出力方向と同一の出力方向に中高音帯域のオーディオ信号を出力することが望ましい。
【００７９】
よって、第１及び第２ウーファスピーカ１６１ａ、１６１ｂのそれぞれから出力される低音帯域のオーディオ信号並びに第１及び第２前面スピーカ１６３ａ、１６３ｂのそれぞれから出力される中高音帯域のオーディオ信号がディスプレイ装置１００の前面に伝達される伝達経路が略同一であるため、両オーディオ信号間の距離差が発生しない。よって、ユーザの聴取位置に応じて、低音帯域のオーディオ信号と中高音帯域のオーディオ信号とが共通して出力されるクロスオーバ帯域区間に対する位相変化が発生する従来の問題点を改善することができる。
【００８０】
一方、本発明においては、第１及び第２ウーファスピーカ１６１ａ、１６１ｂのそれぞれが帯域通過エンクロージャ方式で形成されることについてのみ具体的に説明した。しかし、本発明はそれに限定されるものではなく、第１及び第２ウーファスピーカ１６１ａ、１６１ｂのそれぞれは帯域通過エンクロージャ方式だけでなく、多様なエンクロージャ方式でも実現されてよい。
【００８１】
以下では、図７ないし図１０を通じて多様なエンクロージャ方式で実現される第１及び第２ウーファスピーカ１６１ａ、１６１ｂについて説明する。
【００８２】
図７は、本発明の一実施形態に係る一体型スピーカで帯域通過エンクロージャ方式が適用されたウーファスピーカの第１例示図である。
【００８３】
図７に示すように、ウーファチェンバ５００は帯域通過エンクロージャ方式で第１及び第２ウーファスピーカ１６１ａ、１６１ｂのそれぞれから低音帯域のオーディオ信号を出力する領域である。そのために、ウーファチェンバ５００は、後方チェンバ５１０及び前方チェンバ５２０を含む。後方チェンバ５１０上には低音帯域のオーディオ信号に対するウーファ音を出力するウーファユニット５１１が形成され、前方チェンバ５２０はウーファユニット５１１から出力されたウーファ音の音響を共鳴させてオーディオ信号の低音帯域を増幅するダクト５２１が形成される。このような後方チェンバ５１０は、ウーファユニット５１１から出力されたウーファ音を前方チェンバ５２０側に伝達するための領域を除く残りの領域が外部と遮断することができるように密閉型構造からなってよい。なお、前方チェンバ５２０は、ウーファユニット５１１から出力されたウーファ音を流入する領域を除く残りの領域が外部と遮断できるように密閉型構造からなってよい。
【００８４】
よって、ウーファユニット５１１から出力されたウーファ音が前方チェンバ５２０に流入されると、前方チェンバ５２０に形成されたダクト５２１は帯域通過フィルタのような役割を果たして前方チェンバ５２０に伝達されたウーファ音の中で共鳴周波数に該当する音を増幅させ、それ以上の音を遮断して低音帯域の増幅された共鳴音を放射する。このように、ダクト５２１を介して共鳴音が放射されると、第１及び第２ウーファスピーカ１６１ａ、１６１ｂはダクト５２１を介して放射された共鳴音に基づいて低音帯域の増幅されたオーディオ信号をディスプレイ装置１００の下部領域に出力する。それにより、低音帯域の増幅されたオーディオ信号はディスプレイ装置１００に隣接した下部面によって回折されてディスプレイ装置１００の前面に伝達されてよい。
【００８５】
図８は、本発明の別の実施形態に係る一体型スピーカで帯域通過型受動放射器エンクロージャ方式が適用されたウーファスピーカの第２例示図である。
【００８６】
図８に示すように、ウーファチェンバ５００は帯域通過型受動放射器エンクロージャ方式で形成され、第１及び第２ウーファスピーカ１６１ａ、１６１ｂのそれぞれから低音帯域のオーディオ信号を出力する領域である。そのために、ウーファチェンバ５００は、後方チェンバ５１０及び前方チェンバ５２０を含む。後方チェンバ５１０上には低音帯域のオーディオ信号に対するウーファ音を出力するウーファユニット５１１が形成され、前方チェンバ５２０はウーファユニット５１１から出力されたウーファ音の振動を共鳴させてオーディオ信号の低音帯域を増幅する振動板５２３が形成される。このような後方チェンバ５１０は、ウーファユニット５１１から出力されたウーファ音を前方チェンバ５２０側に伝達するための領域を除く残りの領域が外部と遮断することができるように密閉型構造からなってよい。なお、前方チェンバ５２０は、ウーファユニット５１１から出力されたウーファ音を流入する領域を除く残りの領域が外部と遮断できるように密閉型構造からなってよい。
【００８７】
よって、ウーファユニット５１１から出力されたウーファ音が前方チェンバ５２０側に流入されると、前方チェンバ５２０に形成された振動板５２３は帯域通過フィルタのような役割を果たして前方チェンバ５２０に伝達されたウーファ音の中で共鳴周波数に該当する音の振動を共振させ、オーディオ信号の低音帯域を増幅させる。このように、振動板５２３を介して共振音が放射されると、第１及び第２ウーファスピーカ１６１ａ、１６１ｂは振動板５２３を介して放射された共振音に基づいて低音帯域の増幅されたオーディオ信号をディスプレイ装置１００の下部領域に出力する。それにより、低音帯域の増幅されたオーディオ信号はディスプレイ装置１００に隣接した下部面によって回折されてディスプレイ装置１００の前面に伝達されてよい。
【００８８】
図９は、本発明の一実施形態に係る一体型スピーカでベント型エンクロージャ方式が適用されたウーファスピーカの第１例示図である。
【００８９】
図９に示すように、ウーファチェンバ５００はベント型エンクロージャ方式で形成されて第１及び第２ウーファスピーカ１６１ａ、１６１ｂのそれぞれから低音帯域のオーディオ信号を出力する領域である。このようなウーファチェンバ５００は、単一チェンバからなってよく、ウーファチェンバ５００内にはウーファユニット５１１及びダクト５１３が形成される。このようなウーファチェンバ５００は、ウーファユニット５１１及びダクト５１３を介して前方音及び共鳴音が外部に放射される領域を除く残りの領域が外部と遮断できるように密閉型構造からなることが望ましい。
【００９０】
一方、ウーファチェンバ５００内に形成されるウーファユニット５１１は、低音帯域のオーディオ信号に対する前方音を出力し、ダクト５１３はウーファユニット５１１の後から再生される逆位相の後方音の音響を共鳴させてオーディオ信号の低音帯域を増幅して共鳴音を放射する。すなわち、ダクト５１３は、ウーファユニット５１１の後から再生される後方音の中で共鳴周波数に該当する音を増幅させ、それ以上の音を遮断して低音帯域の増幅された共鳴音を外部に放射することができる。このように、ウーファユニット５１１及びダクト５１３を介して後方音及び共鳴音が外部に放射されると、第１及び第２ウーファスピーカ１６１ａ、１６１ｂのそれぞれはウーファユニット５１１から出力された前方音とダクト５１３を介して放射された共鳴音とを合成して、前方音と共鳴音とが合成されたウーファ音を下方放射方式で放射させて低音帯域の補強されたオーディオ信号を出力することができる。
【００９１】
図１０は、本発明の別の実施形態に係る一体型スピーカでベント型受動放射器エンクロージャ方式が適用されたウーファスピーカの第２例示図である。
【００９２】
図１０に示すように、ウーファチェンバ５００はベント型受動放射器エンクロージャ方式で形成されて第１及び第２ウーファスピーカ１６１ａ、１６１ｂのそれぞれから低音帯域のオーディオ信号を出力する領域である。このようなウーファチェンバ５００は、単一チェンバからなってよく、ウーファチェンバ５００内にはウーファユニット５１１及び振動板５１５が形成される。このようなウーファチェンバ５００は、ウーファユニット５１１及び振動板５１５を介して前方音及び共鳴音が外部に放射される領域を除く残りの領域が外部と遮断できるように密閉型構造からなることが望ましい。
【００９３】
一方、ウーファチェンバ５００内に形成されるウーファユニット５１１は、低音帯域のオーディオ信号に対する前方音を出力し、振動板５１５はウーファユニット５１１の後から再生される逆位相の後方音の振動を共鳴させてオーディオ信号の低音帯域を増幅して共振音を放射する。すなわち、振動板５１５は、ウーファユニット５１１の後に出力される後方音の中で共鳴周波数に該当する音の振動を共振させ、オーディオ信号の低音帯域を増幅させることができる。このように、ウーファユニット５１１及び振動板５１５を介して前方音及び低音帯域の増幅された共振音が外部に放射されると、第１及び第２ウーファスピーカ１６１ａ、１６１ｂのそれぞれはウーファユニット５１１から出力された前方音と振動板５１５を介して放射された共振音とを合成して、前方音と共振音とが合成されたウーファ音を下方放射方式で放射させて低音帯域の補強されたオーディオ信号を出力することができる。
【００９４】
以下では、本発明に係る第１及び第２一体型スピーカ１６０ａ、１６０ｂのそれぞれから中高音帯域のオーディオ信号を出力する第１及び第２前面スピーカ１６３ａ、１６３ｂについて詳細に説明する。
【００９５】
図１１は、本発明の一実施形態に係る一体型スピーカで密閉型エンクロージャ方式が適用された前面スピーカの例示図である。
【００９６】
図１１に示すように、前面スピーカチェンバ６００は、第１及び第２前面スピーカ１６３ａ、１６３ｂのそれぞれを実装し、レフト及びライトチャネルに対応する中高音帯域のオーディオ信号を出力する領域である。このように、第１及び第２前面スピーカ１６３ａ、１６３ｂのそれぞれが実装させる前面スピーカチェンバ６００は、単一チェンバからなってよく、第１及び第２前面スピーカ１６３ａ、１６３ｂを介して中高音帯域のオーディオ信号が出力される領域に除く残りの領域が密閉される密閉型エンクロージャ方式からなってよい。
【００９７】
一方、本発明に係る前面スピーカチェンバ６００に実装される第１及び２前面スピーカ１６３ａ、１６３ｂのぞれぞれはレフトチャネル及びライトチャネルに対応する中高音帯域のオーディオに対する音量の大きさを拡大させるために複数個で構成されてよい。この場合、複数の第１前面スピーカ１６３ａと複数の第２前面スピーカ１６３ｂのそれぞれはスピーカユニット６２０−１、６２０−２を介してレフトチャネル及びライトチャネルのそれぞれに対応する同一の中高音帯域のオーディオ信号を出力する。それにより、前面スピーカチェンバ６００は、複数の第１及び第２前面スピーカ１６３ａ、１６３ｂを介して音量の大きさが拡大された中高音帯域のオーディオ信号を出力することができる。
【００９８】
このように、前面スピーカチェンバ６００上に実装されてレフトチャネル及びライトチャネルに対応する中高音帯域のオーディオ信号を出力する第１及び第２前面スピーカ１６３ａ、１６３ｂのそれぞれは、次のような実施形態に通じて低音帯域の拡大された中高音帯域のオーディオ信号を出力することができる。
【００９９】
図１２は、本発明の一実施形態に係る一体型スピーカからベント型エンクロージャ方式が適用されて低音帯域の拡大された中高音帯域のオーディオ信号を出力する前面スピーカの第１例示図である。
【０１００】
図１２に示すように、第１及び第２一体型スピーカ１６０ａ、１６０ｂのそれぞれは、レフトチャネル及びライトチャネルに対応する中高音帯域のオーディオ信号を出力する第１及び第２前面スピーカ１６３ａ、１６３ｂを含み、このような第１及び第２前面スピーカ１６３ａ、１６３ｂのそれぞれは、前面スピーカチェンバ６００領域に形成される。なお、前面スピーカチェンバ６００領域上には第１または第２前面スピーカ１６３ａ、１６３ｂから出力される中高音帯域のオーディオ信号に関連して低音帯域のオーディオ信号を増幅させるためのダクト６３０が形成される。このようなダクト６３０は、第１及び第２前面スピーカ１６３ａ、１６３ｂの後から再生される後方音の中で共鳴周波数に該当する音を増幅させ、それ以上の音を遮断して帯域の増幅された共鳴音を外部に放射させる役割を担う。
【０１０１】
そのために、前面スピーカチェンバ６００は、ベント型エンクロージャ方式からなることが望ましい。前面スピーカチェンバ６００がベント型エンクロージャ方式でなされることで、前面スピーカチェンバ６００は第１または第２前面スピーカ１６３ａ、１６３ｂを介して中高音帯域のオーディオ信号が出力される領域とダクト６３０を介して低音帯域のオーディオ信号が出力される領域とを除く残りの領域が外部と遮断される密閉型構造からなってよい。
【０１０２】
具体的に、前面スピーカチェンバ６００は、レフトチャネルの中高音帯域のオーディオ信号を出力する第１前面スピーカ１６３ａ及び低音帯域のオーディオ信号を出力するダクト６３０を含んでよい。第１前面スピーカ１６３ａは、レフトチャネルに対応する中高音帯域のオーディオに対する音量の大きさを拡大させるために複数個からなってよい。この場合、複数の第１前面スピーカ１６３ａは、スピーカユニット６２０−１、６２０−２を介してレフトチャネルに対応する同一の中高音帯域のオーディオ信号を出力することで、音量の大きさが拡大された中高音帯域のオーディオ信号を出力することができる。そして、ダクト６３０は、第１前面スピーカ１６３ａの後から再生される後方音の中で共鳴周波数に該当する帯域の音が増幅された共鳴音を外部に放射する。
【０１０３】
このような第１前面スピーカ１６３ａ及びダクト６３０を含む前面スピーカチェンバ６００は、第１前面スピーカ１６３ａのスピーカユニット６２０−１、６２０−２を介してレフトチャネルのオーディオ信号が出力される領域と、ダクト６３０を介して低音帯域のオーディオ信号が出力される領域とを除く残りの領域が外部と遮断される密閉型構造からなってよい。よって、前面スピーカチェンバ６００は、第１前面スピーカ１６３ａのスピーカユニット６２０−１、６２０−２を介して出力されたレフトチャネルの中高音帯域のオーディオ信号とダクト６３０を介して放射された低音帯域の増幅された共鳴音を外部に出力する。それにより、レフトチャネルのオーディオ信号に関連して低音帯域の拡大された中高音帯域のオーディオ信号が前面スピーカチェンバ６００を介して外部に出力されてよい。
【０１０４】
同様に、もう一方の前面スピーカチェンバ６００は、ライトチャネルの中高音帯域のオーディオ信号を出力する第２前面スピーカ１６３ｂ及び低音帯域のオーディオ信号を出力するダクト６３０を含んでよい。第２前面スピーカ１６３ｂは、ライトチャネルに対応する中高音帯域のオーディオに対する音量の大きさを拡大させるために複数個からなってよい。この場合、複数の第２前面スピーカ１６３ｂは、スピーカユニット６２０−１、６２０−２を介してライトチャネルに対応する同一の中高音帯域のオーディオ信号を出力することで、音量の大きさが拡大された中高音帯域のオーディオ信号を出力することができる。そして、ダクト６３０は、第２前面スピーカ１６３ｂの後から再生される後方音の中で共鳴周波数に該当する帯域の音が増幅された共鳴音を外部に放射する。
【０１０５】
このような第２前面スピーカ１６３ｂ及びダクト６３０を含む前面スピーカチェンバ６００は、第２前面スピーカ１６３ｂのスピーカユニット６２０−１、６２０−２を介してライトチャネルのオーディオ信号が出力される領域と、ダクト６３０を介して低音帯域のオーディオ信号が出力される領域とを除く残りの領域が外部と遮断される密閉型構造からなってよい。よって、前面スピーカチェンバ６００は、第２前面スピーカ１６３ｂのスピーカユニット６２０−１、６２０−２を介して出力されたレフトチャネルの中高音帯域のオーディオ信号とダクト６３０を介して放射された低音帯域の増幅された共鳴音を外部に出力する。それにより、レフトチャネルのオーディオ信号に関連して低音帯域の拡大された中高音帯域のオーディオ信号が前面スピーカチェンバ６００を介して外部に出力されてよい。
【０１０６】
図１３は、本発明の別の実施形態に係る一体型スピーカからベント型受動放射器エンクロージャ方式が適用されて低音帯域の拡大された中高音帯域のオーディオ信号を出力する前面スピーカの第２例示図である。
【０１０７】
図１３に示すように、第１及び第２一体型スピーカ１６０ａ、１６０ｂのそれぞれは、レフトチャネル及びライトチャネルに対応する中高音帯域のオーディオ信号を出力する第１及び第２前面スピーカ１６３ａ、１６３ｂを含み、このような第１及び第２前面スピーカ１６３ａ、１６３ｂのそれぞれは、前面スピーカチェンバ６００領域に形成される。なお、前面スピーカチェンバ６００領域上には第１または第２前面スピーカ１６３ａ、１６３ｂから出力される中高音帯域のオーディオ信号に関連して低音帯域のオーディオ信号を増幅させるための振動板６４０が形成される。このような振動板６４０は、第１及び第２前面スピーカ１６３ａ、１６３ｂの後から再生される後方音の振動を共振させてオーディオ信号の低音帯域を増幅して共振音を放射させる役割を担う。
【０１０８】
そのために、前面スピーカチェンバ６００は、ベント型受動放射器エンクロージャ方式からなることが望ましい。前面スピーカチェンバ６００がベント型受動放射器エンクロージャ方式でなされることで、前面スピーカチェンバ６００は第１または第２前面スピーカ１６３ａ、１６３ｂを介して中高音帯域のオーディオ信号が出力される領域と振動板６４０を介して低音帯域の増幅された共振音が放射される領域とを除く残りの領域が外部と遮断される密閉型構造からなってよい。
【０１０９】
具体的に、前面スピーカチェンバ６００は、レフトチャネルの中高音帯域のオーディオ信号を出力する第１前面スピーカ１６３ａ及び低音帯域の増幅された共振音を外部に放射させる振動板６４０を含んでよい。上述のように、第１前面スピーカ１６３ａは、レフトチャネルに対応する中高音帯域のオーディオに対する音量の大きさを拡大させるために複数個からなってよい。この場合、複数の第１前面スピーカ１６３ａは、スピーカユニット６２０−１、６２０−２を介してレフトチャネルに対応する同一の中高音帯域のオーディオ信号を出力することで、音量の大きさが拡大された中高音帯域のオーディオ信号を出力することができる。そして、振動板６４０は、第１前面スピーカ１６３ａの後から再生される後方音に関連して低音帯域の増幅された共振を外部に放射する。
【０１１０】
このような第１前面スピーカ１６３ａ及び振動板６４０を含む前面スピーカチェンバ６００は、第１前面スピーカ１６３ａを介してレフトチャネルのオーディオ信号が出力される領域と、振動板６４０を介して低音帯域の増幅された共振音が外部に放射される領域とを除く残りの領域が外部と遮断される密閉型構造からなってよい。よって、前面スピーカチェンバ６００は、第１前面スピーカ１６３ａを介して出力されたレフトチャネルの中高音帯域のオーディオ信号と振動板６４０を介して放射された低音帯域の増幅された共振音を外部に出力する。それにより、レフトチャネルのオーディオ信号に関連して低音帯域の拡大された中高音帯域のオーディオ信号が前面スピーカチェンバ６００を介して外部に出力されてよい。
【０１１１】
同様に、もう一方の前面スピーカチェンバ６００は、ライトチャネルの中高音帯域のオーディオ信号を出力する第２前面スピーカ１６３ｂ及び低音帯域の増幅された共振音を外部に放射させる振動板６４０を含んでよい。第２前面スピーカ１６３ｂは、ライトチャネルに対応する中高音帯域のオーディオに対する音量の大きさを拡大させるために複数個からなってよい。この場合、複数の第２前面スピーカ１６３ｂは、スピーカユニット６２０−１、６２０−２を介してライトチャネルに対応する同一の中高音帯域のオーディオ信号を出力することで、音量の大きさが拡大された中高音帯域のオーディオ信号を出力することができる。そして、振動板６４０は、第２前面スピーカ１６３ｂの後から再生される後方音に関連して低音帯域の増幅された共振を外部に放射する。
【０１１２】
このような第２前面スピーカ１６３ｂ及び振動板６４０を含む前面スピーカチェンバ６００は、第２前面スピーカ１６３ｂを介してライトチャネルの中高音帯域のオーディオ信号が出力される領域と、振動板６４０を介して低音帯域の増幅された共振音が外部に放射される領域とを除く残りの領域が遮断される密閉型構造からなってよい。よって、前面スピーカチェンバ６００は、第２前面スピーカ１６３ｂを介して出力されたライトチャネルの中高音帯域のオーディオ信号と振動板６４０を介して放射された低音帯域の増幅された共振音を外部に出力する。それにより、ライトチャネルのオーディオ信号に関連して低音帯域の拡大された中高音帯域のオーディオ信号が前面スピーカチェンバ６００を介して外部に出力されてよい。
【０１１３】
一方、前面スピーカチェンバ６００は、中高音帯域のオーディオ信号だけでなく、高音帯域の拡大されたオーディオ信号を外部に出力することができる。
【０１１４】
図１４は、本発明の一実施形態に係る一体型スピーカから高音帯域の拡大された中高音帯域のオーディオ信号を出力する前面スピーカの例示図である。
【０１１５】
図１４に示すように、第１及び第２一体型スピーカ１６０ａ、１６０ｂのそれぞれは、レフトチャネル及びライトチャネルに対応する中高音帯域のオーディオ信号を出力する第１及び第２前面スピーカ１６３ａ、１６３ｂを含み、このような第１及び第２前面スピーカ１６３ａ、１６３ｂのそれぞれは前面スピーカチェンバ６００領域に形成される。なお、前面スピーカチェンバ６００領域上には高音帯域のオーディオ信号を出力するツイータ（Ｔｗｅｅｔｅｒ）６５０を含んでよい。このようなツイータ６５０は、信号処理部１３０によって信号処理された高音帯域のオーディオ信号を出力する。
【０１１６】
そのために、前面スピーカチェンバ６００は、密閉型エンクロージャ方式で行われることが望ましい。前面スピーカチェンバ６００が密閉型エンクロージャ方式で行われることで、前面スピーカチェンバ６００は第１または第２前面スピーカ１６３ａ、１６３ｂを介して中高音帯域のオーディオ信号が出力される領域とツイータ６５０を介して高音帯域のオーディオ信号が出力される領域とを除く残りの領域が外部と遮断される密閉型構造からなってよい。
【０１１７】
一方、レフトチャネル及びライトチャネルに対応する中高音帯域のオーディオ信号を出力する第１及び第２前面スピーカ１６３ａ、１６３ｂはレフトチャネル及びライトチャネルに対応する中高音帯域のオーディオに対する音量の大きさを拡大させるために複数個で構成されてよい。この場合、複数の第１及び第２前面スピーカ１６３ａ、１６３ｂのそれぞれはスピーカユニット６２０−１、６２０−２を介してレフトチャネル及びライトチャネルに対応する同一の中高音帯域のオーディオ信号を出力することができる。
【０１１８】
具体的に、前面スピーカチェンバ６００は、レフトチャネルの中高音帯域のオーディオ信号を出力する第１前面スピーカ１６３ａ及びレフトチャネルの高音帯域のオーディオ信号を出力するツイータ６５０を含む。このような第１前面スピーカ１６３ａ及びツイータ６５０を含む前面スピーカチェンバ６００は、第１前面スピーカ１６３ａを介してレフトチャネルのオーディオ信号が出力される領域とツイータ６５０を介してレフトチャネルの高音帯域のオーディオ信号が出力される領域とを除く残りの領域が外部と遮断される密閉型構造からなってよい。このとき、前面スピーカチェンバ６００上に形成された第１前面スピーカ１６３ａ及びツイータ６５０は、同一の出力方向にレフトチャネルに対応する中高音帯域及び高音帯域のオーディオ信号を出力することが望ましい。それにより、前面スピーカチェンバ６００上に形成された第１前面スピーカ１６３ａ及びツイータ６５０は同一の出力方向にレフトチャネルに対応する中高音帯域及び高音帯域のオーディオ信号を出力することができる。
【０１１９】
同様に、もう一方の前面スピーカチェンバ６００は、ライトチャネルの中高音帯域のオーディオ信号を出力する第２前面スピーカ１６３ｂ及びライトチャネルの高音帯域のオーディオ信号を出力するツイータ６５０を含む。このような第２前面スピーカ１６３ｂ及びツイータ６５０を含む前面スピーカチェンバ６００は、第２前面スピーカ１６３ｂを介してライトチャネルのオーディオ信号が出力される領域とツイータ６５０を介してライトチャネルの高音帯域のオーディオ信号が出力される領域とを除く残りの領域が外部と遮断される密閉型構造からなってよい。このとき、前面スピーカチェンバ６００上に形成された第２前面スピーカ１６３ｂ及びツイータ６５０は、同一の出力方向にライトチャネルに対応する中高音帯域及び高音帯域のオーディオ信号を出力することが望ましい。それにより、前面スピーカチェンバ６００上に形成された第２前面スピーカ１６３ｂ及びツイータ６５０は同一の出力方向にライトチャネルに対応する中高音帯域及び高音帯域のオーディオ信号を出力することができる。
【０１２０】
一方、前面スピーカチェンバ６００は、中高音帯域のオーディオ信号だけでなく、低音及び高音帯域の拡大されたオーディオ信号を外部に出力することができる。
【０１２１】
図１５は、本発明の一実施形態に係る一体型スピーカから低音ないし高音帯域のオーディオ信号を出力する前面スピーカの第１例示図である。
【０１２２】
図１５に示すように、第１及び第２一体型スピーカ１６０ａ、１６０ｂのそれぞれは、レフトチャネル及びライトチャネルに対応する中高音帯域のオーディオ信号を出力する第１及び第２前面スピーカ１６３ａ、１６３ｂを含み、このような第１及び第２前面スピーカ１６３ａ、１６３ｂのそれぞれは前面スピーカチェンバ６００領域に形成される。なお、前面スピーカチェンバ６００領域上には低音帯域のオーディオ信号を出力するダクト６３０及び高音帯域のオーディオ信号を出力するためのツイータ（Ｔｗｅｅｔｅｒ）６５０を含んでよい。ここで、ダクト６３０は、第１または第２前面スピーカ１６３ａ、１６３ｂの後から再生される後方音の中で共鳴周波数に該当する帯域の音が増幅された共鳴音を外部に放射させる役割を担う。そして、ツイータ６５０は、信号処理部１３０によって信号処理された高音帯域のオーディオ信号を出力する役割を担う。
【０１２３】
そのために、前面スピーカチェンバ６００は、ベント型エンクロージャ方式で行われることが望ましい。前面スピーカチェンバ６００がベント型エンクロージャ方式で行われることで、前面スピーカチェンバ６００は第１または第２前面スピーカ１６３ａ、１６３ｂを介して中高音帯域のオーディオ信号が出力される領域、ダクト６３０を介して低音帯域のオーディオ信号が出力される領域、及びツイータ６５０を介して高音帯域のオーディオ信号が出力される領域を除く残りの領域が外部と遮断される密閉型構造からなってよい。
【０１２４】
一方、レフトチャネル及びライトチャネルに対応する中高音帯域のオーディオ信号を出力する第１及び第２前面スピーカ１６３ａ、１６３ｂはレフトチャネル及びライトチャネルに対応する中高音帯域のオーディオに対する音量の大きさを拡大させるために複数個で構成されてよい。この場合、複数の第１及び第２前面スピーカ１６３ａ、１６３ｂのそれぞれはスピーカユニット６２０−１、６２０−２を介してレフトチャネル及びライトチャネルに対応する同一の中高音帯域のオーディオ信号を出力することができる。
【０１２５】
具体的に、前面スピーカチェンバ６００は、レフトチャネルの中高音帯域のオーディオ信号を出力する第１前面スピーカ１６３ａ、低音帯域のオーディオ信号を出力するダクト６３０及びレフトチャネルの高音帯域のオーディオ信号を出力するツイータ６５０を含む。このような第１前面スピーカ１６３ａ、ダクト６３０及びツイータ６５０を含む前面スピーカチェンバ６００は、第１前面スピーカ１６３ａを介してレフトチャネルのオーディオ信号が出力される領域、ダクト６３０を介して低音帯域のオーディオ信号が出力される領域及びツイータ６５０を介してレフトチャネルの高音帯域のオーディオ信号が出力される領域とを除く残りの領域が外部と遮断される密閉型構造からなってよい。このとき、前面スピーカチェンバ６００上に形成された第１前面スピーカ１６３ａ、ダクト６３０及びツイータ６５０は、同一の出力方向にレフトチャネルに対応する中高音帯域及び高音帯域と低音帯域のオーディオ信号を出力することが望ましい。それにより、前面スピーカチェンバ６００上に形成された第１前面スピーカ１６３ａ、ダクト６３０及びツイータ６５０は同一の出力方向にレフトチャネルに対応する中高音帯域に関連して低音及び高音の拡大されたオーディオ信号を出力することができる。
【０１２６】
同様に、もう一方の前面スピーカチェンバ６００は、ライトチャネルの中高音帯域のオーディオ信号を出力する第２前面スピーカ１６３ｂ、低音帯域のオーディオ信号を出力するダクト６３０及びライトチャネルの高音帯域のオーディオ信号を出力するツイータ６５０を含む。このような第２前面スピーカ１６３ｂ、ダクト６３０及びツイータ６５０を含む前面スピーカチェンバ６００は、第２前面スピーカ１６３ｂを介してライトチャネルのオーディオ信号が出力される領域、ダクト６３０を介して低音帯域のオーディオ信号が出力される領域及びツイータ６５０を介してライトチャネルの高音帯域のオーディオ信号が出力される領域とを除く残りの領域が外部と遮断される密閉型構造からなってよい。このとき、前面スピーカチェンバ６００上に形成された第２前面スピーカ１６３ｂ、ダクト６３０及びツイータ６５０は、同一の出力方向にライトチャネルに対応する中高音帯域及び高音帯域と低音帯域のオーディオ信号を出力することが望ましい。それにより、前面スピーカチェンバ６００上に形成された第２前面スピーカ１６３ｂ、ダクト６３０及びツイータ６５０は同一の出力方向にライトチャネルに対応する中高音帯域に関連して低音及び高音の拡大されたオーディオ信号を出力することができる。
【０１２７】
図１６は、本発明の別の実施形態に係る一体型スピーカからベント型受動放射器エンクロージャ方式が適用されて低音ないし高音帯域のオーディオ信号を出力する前面スピーカの第２例示図である。
【０１２８】
図１６は、上述の図１５に関連し、前面スピーカチェンバ６００が低音帯域のオーディオ信号が出力されるダクト６３０で振動板６４０が形成されることを示している。
【０１２９】
具体的に、前面スピーカチェンバ６００は、レフトチャネルの中高音帯域のオーディオ信号を出力する第１前面スピーカ１６３ａ、第１前面スピーカ１６３ａの後から再生される後方音の振動を共振させてオーディオ信号の低音帯域の増幅された共振音を放射させるダクト６３０及びレフトチャネルの高音帯域のオーディオ信号を出力するツイータ６５０を含む。このような第１前面スピーカ１６３ａ、振動板６４０及びツイータ６５０を含む前面スピーカチェンバ６００は、第１前面スピーカ１６３ａを介してレフトチャネルの中高音帯域のオーディオ信号が出力される領域、振動板６４０を介して低音帯域のオーディオ信号に対する共振音が出力される領域及びツイータ６５０を介してレフトチャネルの高音帯域のオーディオ信号が出力される領域を除く残りの領域が外部と遮断される密閉型構造からなってよい。このとき、前面スピーカチェンバ６００上に形成された第１前面スピーカ１６３ａ、振動板６４０及びツイータ６５０は、同一の出力方向にレフトチャネルに対応する中高音帯域及び高音帯域と低音帯域のオーディオ信号に対する共振音を出力することが望ましい。それにより、前面スピーカチェンバ６００上に形成された第１前面スピーカ１６３ａ、振動板６４０及びツイータ６５０は同一の出力方向にレフトチャネルに対応する中高音帯域に関連して低音及び高音の拡大されたオーディオ信号を出力することができる。
【０１３０】
同様に、もう一方の前面スピーカチェンバ６００は、ライトチャネルの中高音帯域のオーディオ信号を出力する第２前面スピーカ１６３ｂ、低音帯域の増幅された共振音を放射させる振動板６４０及びライトチャネルの高音帯域のオーディオ信号を出力するツイータ６５０を含む。このような第２前面スピーカ１６３ｂ、振動板６４０及びツイータ６５０を含む前面スピーカチェンバ６００は、第２前面スピーカ１６３ｂを介してライトチャネルのオーディオ信号が出力される領域、振動板６４０を介して低音帯域のオーディオ信号に対する共振音が出力される領域及びツイータ６５０を介してライトチャネルの高音帯域のオーディオ信号が出力される領域を除く残りの領域が外部と遮断される密閉型構造からなってよい。このとき、前面スピーカチェンバ６００上に形成された第２前面スピーカ１６３ｂ、振動板６４０及びツイータ６５０は、同一の出力方向にライトチャネルに対応する中高音帯域及び高音帯域と低音帯域のオーディオ信号に対する共振音を出力することが望ましい。それにより、前面スピーカチェンバ６００上に形成された第２前面スピーカ１６３ｂ、振動板６４０及びツイータ６５０は同一の出力方向にライトチャネルに対応する中高音帯域に関連して低音及び高音の拡大されたオーディオ信号を出力することができる。
【０１３１】
一方、本発明に係るレフトチャネル及びライトチャネルに対応する中低音帯域のオーディオ振動低音帯域のオーディオ信号をそれぞれ出力する第１及び第２一体型スピーカ１６０ａ、１６０ｂは単一で実現されてよい。
【０１３２】
図１７は、本発明の一実施形態に係るディスプレイ装置でレフトチャネル及びライトチャネルに対応する中低音帯域及び低音帯域のオーディオ信号を出力する一体型スピーカの例示図である。
【０１３３】
単一形態で実現された一体型スピーカ１６０は、ディスプレイ装置１００の終端の中央の搭載されてレフトチャネル及びライトチャネルに対応する中低音帯域及び低音帯域のオーディオ信号を出力することができる。
【０１３４】
図１７に示すように、単一の一体型スピーカ１６０はウーファチェンバ５００と、第１及び第２前面スピーカチェンバ６００ａ、６００ｂを含む。ウーファチェンバ５００は、低域帯域のオーディオ信号を出力するウーファスピーカ１６１を実装する領域であり、第１及び第２前面スピーカチェンバ６００ａ、６００ｂは、レフトチャネル及びライトチャネルの中高音帯域のオーディオ信号を出力する第１及び第２前面スピーカ１６３ａ、１６３ｂのそれぞれを実装する領域である。
【０１３５】
ウーファスピーカ１６１及び第１前面スピーカ１６３ａをそれぞれ実装するウーファチェンバ５００及び第１前面スピーカチェンバ６００ａは、上述の図６のように形成されてよい。一方、第２前面スピーカ１６３ｂを実装する第２前面スピーカチェンバ６００ｂは、上述のウーファチェンバ５００の前方チェンバ５２０に隣接して形成されてよい。具体的に、ウーファチェンバ５００は、図６を参照して説明したように、ウーファユニット５１１の形成された後方チェンバ５１０及びダクト５２１の形成された前方チェンバ５２０に区画されてよい。よって、第２前面スピーカチェンバ６００ｂは、後方チェンバ５１０から流入されたウーファユニット５１１のウーファ音を共鳴させて共鳴音を発生させるダクト５１２が形成された前方チェンバ５２０に隣接して形成されてよい。
【０１３６】
一方、単一形態の一体型スピーカ１６０の第１及び第２前面スピーカチェンバ６００ａ、６００ｂ上に形成される第１及び第２前面スピーカ１６３ａ、１６３ｂはレフトチャネル及びライトチャネルに対応する中高音帯域のオーディオに対する音量の大きさを拡大させるために複数個で構成されてよい。この場合、複数の第１前面スピーカ１６３ａは、第１スピーカユニット６２０ａ−１、６２０ａ−２を介してレフトチャネルに対応する同一の中高音帯域のオーディオ信号を出力することができ、複数の第２前面スピーカ１６３ｂは、第２スピーカユニット６２０ｂ−１、６２０ｂ−２を介してライトチャネルに対応する同一の中高音帯域のオーディオ信号を出力することができる。
【０１３７】
なお、単一形態の一体型スピーカ１６０の各チェンバ上に形成される第１及び第２前面スピーカ１６３ａ、１６３ｂとウーファスピーカ１６０とは同一の出力方向にオーディオ信号を出力することができる。すなわち、第１前面スピーカ１６３ａの第１及び第２スピーカユニット６２０ａ−１、６２０ａ−２から出力されるレフトチャネルの中高音帯域のオーディオ信号、第２前面スピーカ１６３ａ、１６３ｂの第１及び第２スピーカユニット６２０ｂ−１、６２０ｂ−２から出力されるライトチャネルの中高音帯域のオーディオ信号、及びダクト５２１を介して低音帯域のオーディオ信号の増幅されたウーファ音はディスプレイ装置１００の下部領域に出力されてよい。
【０１３８】
よって、第１及び第２前面スピーカ１６３ａ、１６３ｂを介して出力されたレフトチャネル及びライトチャネルの中高音帯域のオーディオ信号とウーファスピーカ１６０を介して出力されたウーファ音とは、ディスプレイ装置１００に隣接した下部面によって回折されてディスプレイ装置１００の前面に伝達されてよい。
【０１３９】
一方、本発明においては、単一形態の一体型スピーカ１６０が図６を参照して説明した第１一体型スピーカ１６０ａと、第１一体型スピーカ１６０ａのウーファチェンバ５００に隣接して第２前面スピーカ６００ｂが形成されるものに限定して説明した。しかし、本発明はそれに限定されるわけでなく、単一形態の一体型スピーカ１６０においてウーファスピーカ１６１及び第２前面スピーカ１６３ｂのそれぞれを実装するウーファチェンバ５００及び第２前面スピーカチェンバ６００ｂは図６を参照して説明した第２一体型スピーカ１６０ｂのように形成されてよい。この場合、第１前面スピーカ１６３ａを実装する第１前面スピーカチェンバ６００ａは、ウーファチェンバ５００の前方チェンバ５２０に隣接して形成されてよい。更に、単一形態の一体型スピーカ１６０は図６を参照して説明した第１及び第２一体型スピーカ１６０ａ、１６０ｂのそれぞれが相互結合された形態で形成されてよい。
【０１４０】
なお、本発明においては、第１及び第２前面スピーカチェンバ６００ａ、６００ｂがレフトチャネル及びライトチャネルに対応する中高音帯域のオーディオ信号を出力する第１及び第２前面スピーカ１６３ａ、１６３ｂを含むものに限定した説明した。しかし、本発明はそれに限定されるわけでなく、上述のように、第１及び第２前面スピーカチェンバ６００ａ、６００ｂはダクト６３０及びツイータ６５０を更に含んでよく、この場合、レフトチャネル及びライトチャネルに対応する中高音帯域のオーディオ信号に関連して低音帯域及び高音帯域の拡大されたオーディオ信号を出力することができる。
【０１４１】
図１８は、本発明の別の実施形態に係るディスプレイ装置で中低音帯域及び低音帯域のオーディオ信号を出力する一体型スピーカの例示図である。
【０１４２】
図１８に示すように、レフトチャネル或いはライトチャネルに対応する中低音及び低音帯域のオーディオ信号を出力する一体型スピーカ１６０は、ウーファチェンバ５００、前面スピーカチェンバ６００を含む。上述のように、ウーファチェンバ５００は、低音帯域のオーディオ信号を出力するウーファスピーカ１６１を実装する領域であり、前面スピーカチェンバ６００はレフトチャネル或いはライトチャネルの中高音帯域のオーディオ信号を出力する前面スピーカ１６３を実装する領域である。
【０１４３】
具体的に、ウーファチェンバ５００は、図６を参照して説明したように、ウーファユニット５１１の形成された後方チェンバ５１０及びダクト５２１の形成された前方チェンバ５２０に区画されてよい。そして、一体型スピーカ１６０の前面スピーカチェンバ６００に形成されてレフトチャネル或いはライトチャネルに対応する中高音帯域のオーディオ信号を出力する前面スピーカ１６３はＮ個のスピーカユニット６２０を介してレフトチャネル或いはライトチャネルに対応する中高音帯域のオーディオ信号を出力することができる。
【０１４４】
図示のように、レフトチャネル或いはライトチャネルに対応する中高音帯域のオーディオ信号を出力する前面スピーカ１６３は、第１ないし第４スピーカユニット６２０−１〜６２０−４を含んでよい。この場合、前面スピーカ１６３は、単一のスピーカユニット６２０を介して出力される中高音帯域のオーディオに対する音量の大きさより拡大された音量で中高音帯域のオーディオを出力することができる。すなわち、本願発明は、レフトチャネル或いはライトチャネルに対応する中高音帯域のオーディオに対する音量が拡大させるために、当該音量が拡大される大きさに比例する数のスピーカユニット６２０が前面スピーカ１６３に形成されてよい。
【０１４５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2018170792.tif 000003
【図２】
2018170792.tif 000004
【図３】
2018170792.tif 000005
【図４】
2018170792.tif 000006
【図５】
2018170792.tif 000007
【図６】
2018170792.tif 000008
【図７】
2018170792.tif 000009
【図８】
2018170792.tif 000010
【図９】
2018170792.tif 000011
【図１０】
2018170792.tif 000012
【図１１】
2018170792.tif 000013
【図１２】
2018170792.tif 000014
【図１３】
2018170792.tif 000015
【図１４】
2018170792.tif 000016
【図１５】
2018170792.tif 000017
【図１６】
2018170792.tif 000018
【図１７】
2018170792.tif 000019
【図１８】
2018170792.tif 000020